(57)【要約】【課題】発光ダイオードから成る数多くの集魚灯を、安定的に点灯させることができ、しかも燃料費を大幅に削減することができる漁船用集魚灯装置を提供する。【解決手段】この漁船用集魚灯装置２は、漁船の航行用エンジン１により駆動される発電機３ａと、発電機３ａからの出力される電力から充電に用いる直流電力を生成する充電装置３と、上記充電装置３から出力される直流電力により充電を行うバッテリー４と、上記バッテリー４から供給される直流電力を交流電力に変換するインバーター６と、発光ダイオードから成る集魚灯９と、上記インバーター６から供給される交流電力を直流電力に変換し、この変換した直流電力を上記集魚灯９に供給する電源装置７と、を備える。【選択図】図１
2012170446.tif 000002
【特許請求の範囲】
【請求項１】
漁船の航行用エンジンにより駆動される発電機の電力によって充電に用いる直流電力を生成する充電装置と、上記充電装置から出力される直流電力により充電を行う二次電池と、上記二次電池から供給される直流電力を交流電力に変換するインバーターと、発光ダイオードから成る集魚灯と、上記インバーターから供給される交流電力を直流電力に変換し、この変換した直流電力を上記集魚灯に供給する電源装置とを備えたことを特徴とする漁船用集魚灯装置。
【請求項２】
上記充電装置から出力される直流電力を上記インバーターに供給する電力供給ラインを備えたことを特徴とする請求項１に記載の漁船用集魚灯装置。
【請求項３】
上記充電装置と上記二次電池と上記インバーターと上記電源装置と上記集魚灯からなるセットを複数セット備えて成る請求項１又は請求項２に記載の漁船用集魚灯装置。
【発明の詳細な説明】
【技術分野】
【０００１】
この発明は、発光ダイオードから成る集魚灯を備えた漁船用集魚灯装置に関する。
【背景技術】
【０００２】
従来、烏賊釣り漁等においては、漁場において集魚灯（メタルハライドランプや高輝度放電ランプ等）を点灯させる漁等が行われている。そして、このような漁を行う漁船には、航行用エンジンの他に、集魚灯専用の発電機を駆動する専用エンジンを搭載し、操業中には、漁船が潮で流されないように、航行用エンジンと、上記発電機用エンジンの両方のエンジンを駆動して漁を行っている。
また、近年では、消費電力の少ない発光ダイオードから成る集魚灯も提案されている（特許文献1）。
【０００３】
一方、船舶ではないが、自動車の技術分野においては、特許文献２に開示されているように、自動車のエンジンによって発電機を駆動し、この発電機で発電された電力を二次電池に充電し、この二次電池から供給される電力でヘッドライトを点灯させることが行われている。更に、特許文献３は、高電圧二次電池によってヘッドライトを点灯させる技術も開示されている。
【先行技術文献】
【特許文献】
【０００４】
【特許文献１】特開２００７−２３６２１４号公報
【特許文献２】特開平０５−２７０３３０号公報
【特許文献３】特開２００５−２０５９６８号公報
【発明の概要】
【発明が解決しようとする課題】
【０００５】
ところで、集魚灯を用いる漁船の操業中は、上記のように、漁場において、漁船が潮で流されないようにするために、航行用エンジンを常に駆動し、別途、集魚灯を点灯させるために、発電機駆動用の専用エンジンも駆動しなければならない。
このように、操業中に二つのエンジンを駆動させることは、燃料がそれだけ多く必要となるため、燃料代が高騰した昨今においては、燃料費が漁師にとって大きな負担となっている。
また、特許文献１には、上記発光ダイオードから成る集魚灯を使用して燃料費を削減することも開示されているが、特許文献１に開示されている集魚灯の点灯システムも、発電機駆動用の専用エンジンを使用するものであるし、その電力供給システム自体の供給安定性もあまり高くなく、数多くの集魚灯を安定的に点灯させることができないという問題もあった。
また、自動車の分野で使用されている特許文献２又は特許文献３に開示された二次電池搭載システムを利用して、上記発光ダイオードから成る漁船用の集魚灯を点灯させることも考えられるが、自動車の分野で使用されている二次電池搭載システムの規模を単に大きくしたとしても、数多くの集魚灯を安定的に点灯させることは容易でない。
【０００６】
この発明は、発光ダイオードから成る数多くの集魚灯を、安定的に点灯させることができ、しかも燃料費を大幅に削減することができる漁船用集魚灯装置を提供することを課題とする。
【課題を解決するための手段】
【０００７】
上記の課題を解決するために、この発明の漁船用集魚灯装置は、漁船の航行用エンジンにより駆動される発電機の電力によって充電に用いる直流電力を生成する充電装置と、上記充電装置から出力される直流電力により充電を行う二次電池と、上記二次電池から供給される直流電力を交流電力に変換するインバーターと、発光ダイオードから成る集魚灯と、上記インバーターから供給される交流電力を直流電力に変換し、この変換した直流電力を上記集魚灯に供給する電源装置とを備えたことを特徴とする。
【０００８】
このような構成であれば、上記充電装置の発電機は、漁船の航行用エンジンによって駆動されるので、発電機用エンジンを別途備える必要がなく、発電機用エンジンを駆動するための燃料を削減することができる。また、上記二次電池から供給される直流電力をそのまま集魚灯に供給するのではなく、上記二次電池の直流電力を上記インバーターによって交流電力に変換し、更に上記電源装置によって再び直流電力に変換するので、上記発光ダイオードから成る集魚灯を数多く備える場合でも、上記直流電力を上記集魚灯に安定的に供給することが可能になる。
【０００９】
上記の漁船用集魚灯装置において、上記充電装置から出力される直流電力を上記インバーターに供給する電力供給ラインを備えるのがよい。これによれば、上記充電装置における供給電力量に対して上記二次電池の充電容量を小さくした場合でも上記インバーターには上記電力供給ラインによって電力が供給されるので、このように上記二次電池の充電容量を小さくしてコスト低減や重量減を図りつつ集魚灯に十分な電力を供給することが可能になる。また、このように上記電力供給ラインによって上記充電装置から上記インバーターに電力が供給されると、上記集魚灯の点灯時における上記二次電池の電気の減り量も少なくなるので、上記集魚灯を長時間点灯させることが可能になり、また、漁の後における上記二次電池に対する充電完了時間を短くすることができる。
【００１０】
また、上記漁船用集魚灯装置は、上記充電装置と上記二次電池と上記インバーターと上記電源装置と上記集魚灯からなるセットを複数備えたものでもよい。
【発明の効果】
【００１１】
この発明の漁船用集魚灯装置であれば、発電機用エンジンを別途備える必要がないので漁船の燃料代を節約することができると共に、発光ダイオードから成る集魚灯を安定的に点灯させることができるという効果を奏する。
【図面の簡単な説明】
【００１２】
【図１】この発明の一実施形態に係る漁船用集魚灯装置の１セットを示した説明図である。
【発明を実施するための形態】
【００１３】
以下、この発明の実施の形態を添付図面に基づいて説明する。
図１に示しているように、漁船用集魚灯装置２は充電装置３を備えており、この充電装置３によって二次電池（以下、バッテリーという）４の充電を行うようになっている。
【００１４】
各充電装置３における発電機３ａは、漁船の航行用エンジン１によって駆動される。上記発電機３ａは、例えば、整流回路を備えた発電機であって直流電力を出力する。また、上記充電装置３は、モーターリレー３ｂ及びレギュレーター３ｃを備えており、上記発電機３ａが出力する直流電力の変動を抑制して安定した直流電力を生成すると共に上記バッテリー４の電圧を監視しながら充電電流を断続的に上記バッテリー４に供給することによって高速充電が行えるようになっている。また、上記充電装置３は上記バッテリー４の満充電を検知したときにはモーターリレー３ｂの動作によって充電電力の供給を停止する自動停止制御も行う。更に、上記充電装置３には電力供給ライン５が設けられており、この電力供給ライン５によって上記バッテリー４をスルーしてインバーター６に上記充電装置３が出力する直流電力が供給されるようにしている。
【００１５】
上記バッテリー４は例えばリチウムポリマーバッテリーから成る。また、上記バッテリー４は、この実施形態では、充電電圧がＤＣ２４Ｖのものが用いられており、このようなバッテリー４を１台の充電装置３に対して４台接続している。また、この実施形態のバッテリー４は、入力端子と出力端子とを備えており、上記充電装置３の充電電力の供給を上記入力端子で受けながら、上記出力端子から電力の供給（放電）が行えるようになっている。そして、この実施形態では、上記４台のバッテリー４の出力端子に２台のインバーター６を接続している。
【００１６】
上記インバーター６の入力部には上記バッテリー４から供給される直流電力及び上記電力供給ライン５から供給される直流電力が入力される。そして、インバーター６は、上記入力部から入力した直流電力を交流電力に変換し、この交流電力をインバーター６の出力部に接続された電源装置７に供給する。この実施形態では、上記インバーター６として、出力電圧がＡＣ１００Ｖ仕様のものを用いている。また、このインバーター６は、上記バッテリー４の電圧を監視して出力電力に対して入力電力が過少となるような事態が生じたときには動作を停止するといった制御等も行うようになっている。
【００１７】
上記電源装置７は、上記インバーター６から供給されるＡＣ１００Ｖを直流電力に変換し、この直流電力によって集魚灯９を点灯駆動する。すなわち、この電源装置７によって上記バッテリー４の出力であるＤＣ２４Ｖが安定した集魚灯９用の直流電力になる。そして、この実施形態では、各電源装置７に出力端子が設けられており、出力端子と集魚灯９とをリード線８によって接続できるようにしている。
【００１８】
上記集魚灯９は、烏賊釣り用であれば烏賊が好む青色光を発光する発光ダイオードが用いられマトリクス状に配置収納される。また、背面には放熱のためのフィンが設けられる。
【００１９】
上記集魚灯９は、図示していない船上に設置した取り付け台に吊り下げられるなどして海面を照らすことができるように設けられる。一方、上記充電装置３、バッテリー４、インバーター６及び電源装置７は、船内に設けられる。そして、この船内に設けた上記電源装置７から上記リード線８によって上記船上の集魚灯９に電力が供給されることになる。
【００２０】
このような漁船用集魚灯装置１０を搭載する漁船の航行用エンジン１を始動して漁場へと向かうとき、上記始動された航行用エンジン１によって上記充電装置３の発電機３ａが駆動され、この充電装置３によって上記バッテリー４に充電が行われることになる。漁港から漁場までに１時間から２時間程度かかるとすると、その間にバッテリー４の充電（高速充電）を完了することが可能である。漁場に着き、上記電源装置７の図示していないスイッチをオンし、上記集魚灯９を点灯させると、発光ダイオードから出射される特定色の波長光に惹かれて漁船の回りに目当ての獲物が集まってくることになる。漁場に着いても航行用エンジン１が停止されることはなく、この航行用エンジン１によって発電機３ａに発電をさせることができる。
また、漁場から帰港の際にも上記バッテリー４に充電される。
【００２１】
このように、漁船に上記漁船用集魚灯装置１０を搭載すると、この漁船用集魚灯装置１０の上記発電機３ａは漁船の航行用エンジン１によって駆動されるので、発電機用エンジンを別途備える構成に比べて燃料代を節約することができる。また、上記バッテリー４から供給される直流電力を直流電力のままで集魚灯９に供給するのではなく、上記バッテリー４の直流電力を上記インバーター６によって交流電力に変換し、更に上記電源装置７によって再び直流電力に変換して集魚灯９に供給するので、上記集魚灯９を数多く配備する場合でも、直流電力を上記集魚灯９に安定的に供給することが可能になる。
【００２２】
また、この実施形態では、上記充電装置３に電力供給ライン５を設け、この電力供給ライン５によって上記バッテリー４をスルーして上記インバーター６に上記充電装置３が出力する直流電力が供給されるようにしている。このように電力供給ライン５を備えると、上記充電装置３における供給電力量に対して上記バッテリー４の充電容量を小さくした場合でも上記インバーター６には上記電力供給ライン５によって電力が供給されるので、このように上記バッテリー４の充電容量を小さくしてコスト低減や重量減を図りつつ集魚灯９に十分な電力を供給することが可能になる。換言すれば、上記充電装置３の供給電力を上記バッテリー４への充電に充てると共に上記電力供給ライン５によってインバーター６にも供給するので、上記バッテリー４と上記電力供給ライン５によるトータルの供給電力で上記充電装置３の発電電力を集魚灯９に供給できることになり、いたずらにバッテリー４を増やしてしまうという事態を回避することができることになる。また、このように上記電力供給ライン５によって上記充電装置３から上記インバーター６に電力が供給されると、上記集魚灯９の点灯時における上記バッテリー４の電気の減り量も少なくなるので、上記集魚灯９を長時間点灯させることが可能になり、また、漁の後における上記バッテリー４に対する充電完了時間を短くすることができる。
【００２３】
なお、上記実施形態では、上記電源装置７の出力端子の全てに上記青色光を出射する発光ダイオードから成る集魚灯９を接続したが、一部の出力端子に或いは追加の出力端子に船上作業用灯を接続するようにしてもよい。この船上作業用灯は例えば白色光を出射する発光ダイオードを備えるものである。また、集魚灯９を消灯して上記船上作業用灯だけを点灯させているときには、消費電力は少なくなるので、上記充電装置３が出力する電力の殆どはバッテリー４への充電に充てられる状態になる。また、漁を終えて帰港するときにも上記充電装置３が出力する電力の殆どはバッテリー４への充電に充てられる状態になる。
【００２４】
また、上記実施形態では上記充電装置３と上記バッテリー４と上記インバーター６と上記電源装置７と上記集魚灯９からなるセットを１セット備えた漁船用集魚灯装置を示したが、複数セットを備える漁船用集魚灯装置としてもよいものである。
【００２５】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【符号の説明】
【００２６】
１    航行用エンジン
２    漁船用集魚灯装置
３    充電装置
３ａ  発電機
４    バッテリー（二次電池）
５    電力供給ライン
６    インバーター
７    電源装置
８    リード線
９    集魚灯
【図１】
2012170446.tif 000003